(57)【要約】【課題】飲料を使用者の希望する温度に保つことができる。【解決手段】飲料容器は、飲料収容部１０と筒部２０とを有している。飲料収容部１０は、飲料を入れるための底部１１を備えた筒状の収容部１２を有している。また、飲料収容部１０は、収容部１２の外側の側壁との間に間隙１４を有し、収容部１２の外側の側壁を覆うように設けられる外壁部１３を有している。筒部２０は、中空部２３を備えた側壁部２２を有している。筒部２０の側壁部２２は、収容部１２の側壁と外壁部１３との間の間隙１４に挿入される。これによって、例えば、筒部２０の中空部２３に保冷剤を入れ、または水を入れて凍らせ、筒部２０を飲料収容部１０に嵌め合わせると、収容部１２に入れられた飲料を使用者の希望する温度に保つことができる。【選択図】図１
2014000253.tif 000002
【特許請求の範囲】
【請求項１】
飲料容器において、
有底筒状の収容部と、前記収容部の外側の側壁との間に間隙を有し、前記側壁を覆うように設けられた外壁部と、を備えた飲料収容部と、
中空部を備えた側壁部を有し、前記側壁部が前記収容部の側壁と前記外壁部との間の間隙に挿入される有底の筒部と、
を有することを特徴とする飲料容器。
【請求項２】
前記筒部の中空部は、開口側が開口していることを特徴とする請求項１に記載の飲料容器。
【請求項３】
前記筒部は、前記飲料収容部にねじ式で固定されることを特徴とする請求項１または２に記載の飲料容器。
【請求項４】
前記筒部は、２以上の前記中空部を有していることを特徴とする請求項１乃至３のいずれかに記載の飲料容器。
【請求項５】
前記中空部は、保冷剤が封入されたカートリッジを保持する形状を有していることを特徴とする請求項４に記載の飲料容器。
【発明の詳細な説明】
【技術分野】
【０００１】
本件は、飲料が入れられる飲料容器に関する。
【背景技術】
【０００２】
例えば、暑い日のアウトドアでは、冷たい飲み物が好まれる。単にガラスや強化プラスチックなどで形成された従来のジョッキやコップでは、暑い日のアウトドアでは、注がれた冷たい飲料はすぐにぬるくなる。
【０００３】
また、ガラスや強化プラスチックで形成されたジョッキやコップでは、注がれた飲料を冷やすことはできない。
【０００４】
なお、従来、少なくともガラス製の内容器を採用する場合に比べて、軽量化を可能とし、口部の熱伝導性を向上する保冷容器が提供されている（例えば、特許文献１参照）。
【０００５】
また、容器自体を短時間で冷やすことができる構造の冷蔵容器が提供されている（例えば、特許文献２参照）
【先行技術文献】
【特許文献】
【０００６】
【特許文献１】特開２０１２−８５９０７号公報
【特許文献２】登録実用新案公報第３１３８９８３号
【発明の概要】
【発明が解決しようとする課題】
【０００７】
そのため、使用者の希望する温度に保つ飲料容器が望まれていた。
本件はこのような点に鑑みてなされたものであり、使用者の希望する温度に保つ飲料容器を提供することを目的とする。
【課題を解決するための手段】
【０００８】
上記課題を解決するために、飲料容器が提供される。この飲料容器は、有底筒状の収容部と、前記収容部の外側の側壁との間に間隙を有し、前記側壁を覆うように設けられた外壁部と、を備えた飲料収容部と、中空部を備えた側壁部を有し、前記側壁部が前記収容部の側壁と前記外壁部との間の間隙に挿入される有底の筒部と、を有する。
【発明の効果】
【０００９】
開示の飲料容器によれば、使用者の希望する温度に保つことができる。
【図面の簡単な説明】
【００１０】
【図１】第１の実施の形態に係る飲料容器の斜視図である。
【図２】図１の飲料収容部の平面図である。
【図３】図２のＡ−Ａ断面図である。
【図４】図１の筒部の平面図である。
【図５】飲料収容部に筒部を嵌め合わせている様子を示した断面図である。
【図６】飲料収容部に筒部を嵌め合わせている様子を示した断面図である。
【図７】飲料収容部に筒部を嵌め合わせたときの様子を示した断面図である。
【図８】第２の実施の形態に係る筒部の一部を示した斜視図である。
【図９】図８の筒部の平面図である。
【図１０】保冷剤が封入されたカートリッジを示した図である。
【図１１】飲料容器の斜視図である。
【図１２】第３の実施の形態に係る筒部の底面図である。
【発明を実施するための形態】
【００１１】
以下、実施の形態を、図面を参照して詳細に説明する。
［第１の実施の形態］
図１は、第１の実施の形態に係る飲料容器の斜視図である。図１に示すように飲料容器は、飲料収容部１０と筒部２０とを有している。飲料収容部１０と筒部２０は、例えば、ガラスや強化プラスチックなどで形成される。飲料容器は、以下で説明するように、筒部２０が飲料収容部１０の底の部分から嵌め合わされて使用される。飲料容器は、例えば、ビールジョッキやマグカップ、グラスなどである。
【００１２】
飲料収容部１０は、底部１１を備えた筒状の収容部１２を有している。収容部１２は、図１に示す矢印Ａの飲み口から注がれたビールやジュースなどの飲料を収容する。
【００１３】
また、飲料収容部１０は、収容部１２を覆うように形成された外壁部１３を有している。外壁部１３と、収容部１２の外側の側壁との間には、間隙１４が設けられている。間隙１４の飲み口側は、閉じられており、底部１１側は、開口している。従って、使用者が飲料容器で飲料を飲むとき、収容部１２に注がれた飲料は、飲み口側から間隙１４に入らないようになっている。
【００１４】
筒部２０は、底部２１と側壁部２２とを備えた筒状の形状を有している。側壁部２２は、筒状の中空部２３を有している。中空部２３の飲み口側は、水や保冷剤等が入れられるように開口しており、底部２１側は、閉じられている。従って、中空部２３に入れられる水や保冷剤は、筒部２０の底から漏れないようになっている。
【００１５】
また、筒部２０は、柱状の孔部２４を有している。筒部２０が飲料収容部１０に嵌め合わされるとき、飲料収容部１０の収容部１２は、孔部２４の内部に収められる。孔部２４の断面の大きさは、例えば、筒部２０を飲料収容部１０に嵌め合わせたとき、収容部１２の外側の側壁と接する大きさである。
【００１６】
筒部２０が飲料収容部１０に嵌め合わされるとき、筒部２０の側壁部２２は、飲料収容部１０の間隙１４に挿入される。また、筒部２０が飲料収容部１０に嵌め合わされるとき、収容部１２の底部１１は、筒部２０の孔部２４に挿入される。収容部１２の底部１１は、筒部２０の底部２１まで挿入される。
【００１７】
筒部２０の側壁部２２の中空部２３には、例えば、冷やした水を入れる。または、筒部２０の側壁部２２の中空部２３には、例えば、水を入れて凍らせる。または、中空部２３には、冷やした保冷剤または凍らせた保冷剤を入れる。なお、保冷剤は、例えば、筒部２０の中空部２３と同じ筒状の形状を有したプラスチックの中に封入されているのが好ましい。筒部２０が飲料収容部１０に嵌め合わされると、筒部２０の側壁部２２は、収容部１２の側壁に位置する。従って、図１の飲料容器は、中空部２３の氷や保冷剤によって、収容部１２に入れられた飲料を保冷したり、冷やしたりすることができる。また、例えば、収容部１２に沸騰させたミルクを入れ、飲みやすい温度に冷ますことができる。なお、保冷剤は、筒部２０の中空部２３に直接入れられ、封入されていてもよい。ただし、保冷剤を筒部２０の中空部２３に封入した場合は、筒部２０の中空部２３に水を入れ、凍らせて使用することはできなくなる。
【００１８】
図２は、図１の飲料収容部の平面図である。図２において図１と同じものには、同じ符号が付してある。収容部１２は、飲料を収容する空間を有している。従って、飲料収容部１０の平面図である図２では、収容部１２の飲料を収容する空間を通して、収容部１２の底部１１が見えている。
【００１９】
図３は、図２のＡ−Ａ断面図である。図３において図１および図２と同じものには、同じ符号が付してある。図３に示すように、飲料収容部１０の外壁部１３の内側は、底部１１側に溝３１を有している。溝３１は、らせん状に形成され、筒部２０とねじ式で固定されるようになっている。なお、間隙１４の底部１１側は、開口している。また、間隙１４の飲み口側は、閉じられている。
【００２０】
図４は、図１の筒部の平面図である。図４において図１と同じものには、同じ符号が付してある。筒部２０は、飲み口側が開口しており、飲料収容部１０の収容部１２が収まる孔部２４を有している。従って、筒部２０の平面図である図４では、孔部２４を通して、筒部２０の底部２１が見えている。
【００２１】
図５は、図４のＡ−Ａ断面図である。図５において図４と同じものには、同じ符号が付してある。図５に示すように、筒部２０の側壁部２２の外側は、底部２１側に山３２を有している。山３２は、らせん状に形成され、飲料収容部１０とねじ式で固定されるようになっている。なお、中空部２３の飲み口側は、円状に開口している。また、中空部２３の底部２１側は、底部２１によって閉じられている。中空部２３の開口部分からは、例えば、上記した水や筒状の保冷剤を入れることができる。
【００２２】
図６は、飲料収容部に筒部を嵌め合わせている様子を示した断面図である。図６において図３および図５と同じものには、同じ符号が付してある。飲料収容部１０と筒部２０とを一体化し、使用者が希望する温度に保つことができる飲料容器にするには、図６に示すように、筒部２０の側壁部２２を、飲料収容部１０の底部１１側から、飲料収容部１０の間隙１４に挿入する。そして、挿入された状態で底部１１と底部２１とを接近させる。
【００２３】
図７は、飲料収容部に筒部を嵌め合わせたときの様子を示した断面図である。図７において図６と同じものには、同じ符号が付してある。図６で説明したように、筒部２０を、飲料収容部１０に対し、飲み口側方向へ押し上げると、筒部２０の山３２が飲料収容部１０の溝３１に接触する。そして、筒部２０を、例えば、飲料収容部１０に対して時計回りに回せば、筒部２０は、ねじ式によって飲料収容部１０に固定される。
【００２４】
筒部２０の側壁部２２の飲み口側の端部は、筒部２０が飲料収容部１０にねじ式で固定されると、図７の矢印Ｂに示すように、飲料収容部１０の間隙１４の飲み口側の端部に接触する。これによって、例えば、筒部２０の中空部２３に入れられた保冷剤は、中空部２３内でぐらつくことがない。また、筒部２０の中空部２３に入れられ、凍らせられた水は、融けても外にこぼれることがない。なお、図７では、飲料収容部１０の間隙１４の飲み口側の端部に接触する例を示したが、接触していなくてもよい。
【００２５】
筒部２０の側壁部２２は、筒部２０が飲料収容部１０に固定されると、図７に示すように、飲料収容部１０の収容部１２の側壁部分に位置する。これにより、飲料容器は、収容部１２の底部１１から飲み口部分まで注がれた飲料をむらなく保冷することができる。また、使用者の希望する温度に冷ますことができる。
【００２６】
このように、飲料容器の飲料収容部１０は、有底筒状の収容部１２と、収容部１２と外側の側壁との間に間隙１４を有し、側壁を覆うように設けられた外壁部１３とを有するようにした。また、飲料容器の筒部２０は、有底であって、中空部２３を備えた側壁部２２を有し、側壁部２２が収容部１２の側壁と外壁部１３との間の間隙１４に挿入されるようにした。
【００２７】
これによって、例えば、筒部２０の中空部２３に水を入れて凍らせたり、保冷剤を入れたりして、筒部２０の側壁部２２を飲料収容部１０の間隙１４に挿入すると、中空部２３の氷や保冷剤が、収容部１２の側壁に位置する。そして、収容部１２に注がれた飲料を使用者の希望する温度に保つことができる。例えば、飲料容器に注がれたビールを冷やすことができる。また、沸騰したミルクを飲みやすい温度に冷ますことができる。
【００２８】
また、飲料容器は、最初、筒部２０の中空部２３に水を入れて凍らせ、氷が解けたらその水を捨てて、中空部２３に冷やした保冷剤を入れることができる。これによって、飲料の保冷時間を長くすることができる。
【００２９】
また、飲料容器は、飲料収容部１０の収容部１２に飲料を入れたまま、筒部２０を交換することができる。これによって、例えば、飲料収容部１０の収容部１２に飲料を入れたままの状態で、解けた氷の水を捨て、冷やした保冷剤を中空部２３に入れることができる。また、例えば、飲料収容部１０の収容部１２に飲料を入れたままの状態で、筒部２０の中空部２３に入れた保冷剤を交換することができる。
【００３０】
また、飲料が注がれる収容部１２を備えた飲料収容部１０は、例えば、保冷剤が入った筒部２０と別々にして持ち運ぶことができる。これにより、例えば、飲料収容部１０は、きれいな入れ物に入れて持ち運び、筒部２０はクーラボックスに入れて持ち運ぶことができ、飲料収容部１０の衛生を保つことができる。
【００３１】
［第２の実施の形態］
次に、第２の実施の形態を、図面を参照して詳細に説明する。第１の実施の形態では、筒部２０の側壁部２２は、筒状の中空部２３を１つ有していた。第２の実施の形態では、筒部２０は、２以上の中空部を有し、２以上の中空部に入れる保冷剤などの数を調整して、むらなく温度調整できるようにする。
【００３２】
なお、第２の実施の形態の飲料収容部は、第１の実施の形態の飲料収容部１０と同様であり、その説明を省略する。
【００３３】
図８は、第２の実施の形態に係る筒部の一部を示した斜視図である。図８において、図１、図４、および図５に示した筒部２０と同じものには同じ符号が付してある。
【００３４】
図８に示す筒部２０は、側壁部２２に複数の孔部４１を有している。図８の例では、筒部２０は、８個の孔部４１を有している。
【００３５】
孔部４１の形状は、例えば、後述する直方体のカートリッジの形状に対応する形状をなしている。孔部４１は、図８に示すように、飲み口側が開口しており、図示していない底部まで伸びている。そして、孔部４１の底部側は、閉じている。従って、孔部４１に入れられた水や保冷剤は、筒部２０の底部から漏れないようになっている。
【００３６】
孔部４１は、開口部から、例えば、水が入れられる。孔部４１に入れられた水は、例えば、冷凍庫などで凍らせる。または、孔部４１には、例えば、以下で説明するカートリッジの保冷剤が入れられる。
【００３７】
これにより、飲料収容部１０の収容部１２に注がれた飲料を、使用者の希望する温度に保つことができる。例えば、収容部１２に注がれた飲料を、十分に冷えた状態で飲みたいならば、８個の孔部４１の全てに水や保冷剤を入れる。または、ある程度冷えた状態で飲料を飲みたいならば、例えば、８個の孔部４１のうち、４個の孔部４１に水や保冷剤を入れるようにする。
【００３８】
図９は、図８の筒部の平面図である。図９において図８と同じものには、同じ符号が付してある。筒部２０の平面図である図９では、孔部２４を通して、筒部２０の底部２１が見えている。
【００３９】
図１０は、保冷剤が封入されたカートリッジを示した図である。図１０において図８および図９と同じものには、同じ符号が付してある。
【００４０】
図１０には、保冷剤が封入されたカートリッジ５１が示してある。カートリッジ５１の形状は、例えば、略直方体形状であり、孔部４１と同様の形状を有している。すなわち、カートリッジ５１は、孔部４１と嵌合する形状を有している。カートリッジ５１は、例えば、プラスチックなどで形成され、孔部４１と同様の形状を維持している。
【００４１】
カートリッジ５１は、図１０の矢印Ｃに示すように、孔部４１の開口部分から挿入される。カートリッジ５１の長手方向の長さは、孔部４１の底部側から、飲み口側の開口までの（深さ方向の）長さとなっている。従って、カートリッジ５１を孔部４１に挿入すると、カートリッジ５１の飲み口側の面は、側壁部２２の飲み口側の面と揃うようになっている。
【００４２】
もちろん上記で説明したように、孔部４１には、水を入れて凍らせてもよい。
【００４３】
図１１は、飲料容器の斜視図である。図１１において、図１および図１０と同じものには同じ符号が付してある。
【００４４】
なお、図１１の筒部２０の孔部４１には、カートリッジ５１が挿入されている。また、図１１では、図示を省略しているが、飲料収容部１０の外壁部１３の内側は、図３で説明した溝３１を有している。また、筒部２０の側壁部の外側は、図５で説明した山３２を有している。すなわち、飲料収容部１０と筒部２０は、ねじ式で固定される。
【００４５】
筒部２０が飲料収容部１０に嵌め合わされるとき、筒部２０の側壁部２２は、飲料収容部１０の間隙１４に挿入される。また、飲料収容部１０の収容部１２は、筒部２０の孔部２４に挿入される。筒部２０を飲料収容部１０の飲み口側に押し込み、例えば、筒部２０を時計回りに回すと、筒部２０は、飲料収容部１０に固定される。
【００４６】
筒部２０の高さは、飲料収容部１０の間隙１４の高さと同じ高さを有している。従って、筒部２０が飲料収容部１０に固定されたとき、側壁部２２とカートリッジ５１の飲み口側の面は、間隙１４の飲み口側の閉じた面に接するようになっている。
【００４７】
これによって、カートリッジ５１は、例えば、コップを上下逆さまにしても、筒部２０の孔部４１から出てぐらついたりすることを防ぐことができる。また、カートリッジ５１の代わりに、孔部４１に水を入れて凍らせた場合、氷が解けても、水が孔部４１から漏れるのを防ぐことができる。
【００４８】
このように、筒部２０の側壁部２２は、２以上の孔部４１を備えるようにした。これによって、使用者は、飲料を希望する温度に保つことができる。例えば、複数の孔部４１に入れる水や保冷剤の数を調整することにより、使用者は、飲料を希望する温度に保つことができる。
【００４９】
また、保冷剤を封入したカートリッジ５１を用いる場合、例えば、孔部４１に入れた水を凍らすために、冷凍庫に筒部２０を入れなくて済む。また、第１の実施の形態で説明した筒状の保冷剤を冷凍庫に入れなくて済む。すなわち、略直方体形状の複数のカートリッジ５１を冷凍庫に入れて凍らすことにより、冷凍庫内の場所をとらなくて済む。
【００５０】
また、筒部２０に設けられた孔部４１の数以上のカートリッジ５１を冷やしておくことにより、カートリッジ５１が冷たくなくなっても、容易に交換することができる。また、カートリッジ５１は、持ち運びの際、場所をとらない。
【００５１】
［第３の実施の形態］
次に、第３の実施の形態を、図面を参照して詳細に説明する。第２の実施の形態では、カートリッジ５１を筒部２０の飲み口側から入れるようにした。第３の実施の形態では、筒部の底部から入れられるようにする。
【００５２】
図１２は、第３の実施の形態に係る筒部の底面図である。図１２において図８〜図１１と同じものには、同じ符号が付してある。
【００５３】
図１２に示す筒部２０の孔部４１は、底部１１側が開口し、飲み口側が閉じている。すなわち、図１２に示す筒部２０は、底部１１側から、保冷剤が封入されたカートリッジが挿入される。
【００５４】
図１２に示すように、筒部２０の底部２１は、蓋６１を有している。蓋６１は、孔部４１ごとに設けられている。図１２の例では、８個の孔部４１に対し、８個の蓋が設けられている。蓋６１は、例えば、プラスチックによって形成される。
【００５５】
蓋６１は、蝶番６２によって、孔部４１の開口を開閉できるようになっている。カートリッジを筒部２０に装着する場合、蓋６１を開けてカートリッジを挿入し、蓋６１を占める。なお、図１２の最下部に示してある蓋６１は、開いた状態を示している。他の蓋は、閉じた状態を示している。
【００５６】
蓋６１は、２つの鍔６３を有している。筒部２０の底部２１は、蓋６１を閉めたとき、鍔６３が嵌合するための孔を有している。従って、鍔６３を底部２１に設けられた孔に嵌合させた場合、孔部４１に挿入されたカートリッジは、底部２１を下に向けても出てこないようになっている。
【００５７】
蓋６１は、切欠き部６４を有している。閉められた蓋６１を開けるには、例えば、切欠き部６４に爪を入れて開く。
【００５８】
このように、底部２１側に、孔部４１の開口部を設け、底部２１側からカートリッジを挿入することもできる。
【符号の説明】
【００５９】
１０  飲料収容部
１１  底部
１２  収容部
１３  外壁部
１４  間隙
２０  筒部
２１  底部
２２  側壁部
２３  中空部
２４  孔部
【図１】
2014000253.tif 000003
【図２】
2014000253.tif 000004
【図３】
2014000253.tif 000005
【図４】
2014000253.tif 000006
【図５】
2014000253.tif 000007
【図６】
2014000253.tif 000008
【図７】
2014000253.tif 000009
【図８】
2014000253.tif 000010
【図９】
2014000253.tif 000011
【図１０】
2014000253.tif 000012
【図１１】
2014000253.tif 000013
【図１２】
2014000253.tif 000014